(57)【要約】      （修正有）【課題】葬儀にまつわる各種の記録の保管機能を持つだけではなく、遺族や親族が故人を偲び、気持ちを和らげたり、また故人のことを忘れないようにすることに役立つ葬儀用の冊子を提供する。【解決手段】複数のシートを綴じ合わせて形成する葬儀用の冊子である。故人の写った写真１を収納する収納部２を備えたシート３と、故人の仏事上の情報を記入するシート４と、仏事に関する諸事項が記載されているシート５と、故人の回忌を記入するシート６とを備え、各シートを差し替え可能に綴じ付けて形成する。【選択図】図１
0003195144.tif 000002
【実用新案登録請求の範囲】
【請求項１】
複数のシートを綴じ合わせて形成されている葬儀用の冊子であって、故人の写った写真を収納する収納部を備えたシートと、故人の仏事上の情報を記入するシートと、仏事に関する諸事項が記載されているシートと、故人の回忌を記入するシートとを備え、各シートが差し替え可能に綴じ付けられていることを特徴とする葬儀用の冊子。
【請求項２】
請求項1記載の葬儀用の冊子であって、写真の収納部が、面状材で額縁状に形成されていることを特徴とする葬儀用の冊子。
【請求項３】
請求項1又は２記載の葬儀用の冊子であって、書状を入れるためのポケットが設けられているシートを備えて形成されていることを特徴とする葬儀用の冊子。
【考案の詳細な説明】
【技術分野】
【０００１】
本考案は、葬儀用の冊子に関し、更に詳しくは仏事上の情報や故人の生前の思い出等を記入できるよう形成した葬儀用の冊子に関するものである。
【背景技術】
【０００２】
従来、この種の冊子としては、例えば葬儀や法要の日付等を、高級感のある和紙に記録できるよう形成した記録帳が知られている（例えば特許文献１参照）。
【０００３】
而して、従来品は、葬儀の際の各種の記録を保管する、という機能を持つのに止まったから、従来品によると、例えば写真の貼られた頁を、表側である前面に簡単に配置することができない、という不便があった。
そのため、従来品は、使い勝手が悪く、また遺族や親族が故人を偲び、気持ちを和らげたり、故人のことを忘れないようにすることに関しては充分機能しないものであった。
【先行技術文献】
【特許文献】
【０００４】
【特許文献１】実開平６−５５４８１号公報
【考案の概要】
【考案が解決しようとする課題】
【０００５】
本考案は、このような従来の実情に鑑み、提案されたものである。
従って、本考案の解決しようとする技術的課題は、葬儀にまつわる各種の記録の保管機能を持つだけではなく、遺族や親族が故人を偲び、気持ちを和らげたり、また故人のことを忘れないようにすることに役立つよう形成した葬儀用の冊子を提供することにある。
【課題を解決するための手段】
【０００６】
本考案は、上記の課題を解決するため、次のような技術的手段を採る。
即ち、本考案は、図１等に示されるように、複数のシートを綴じ合わせて形成されている葬儀用の冊子であって、故人の写った写真１を収納する収納部２を備えたシート３と、故人の仏事上の情報を記入するシート４と、仏事に関する諸事項が記載されているシート５と、故人の回忌を記入するシート６とを備え、各シートが差し替え可能に綴じ付けられていることを特徴とする（請求項１）
【０００７】
上記の収納部２は、通常、シート３の表面に面状材２ａが重ね合わされて形成されるが、これに限定されるものではなく、例えばシート３の厚みの中に写真１が納まるよう形成されているのでも良い。またここで、故人の仏事上の情報とは、例えば命日、行年、俗名、戒名もしくは法名等を意味する。また故人の回忌としては、初七日忌、七七日忌、一周忌、三回忌、等の日付けがある。
【０００８】
而して、本考案は、写真１の収納部２が、面状材２ａで額縁状に形成されているのが好ましい（請求項２）。
【０００９】
なぜならこの場合は、写真１を遺影化でき、故人を偲ぶのにふさわしい雰囲気を醸し出すことができるからである。
【００１０】
また本考案の葬儀用の冊子は、図２１に示されているように、書状を入れるためのポケット１１が設けられているシート１２を備えて形成されているのが好ましい（請求項３）。
【００１１】
なぜならこの場合は、例えば弔辞や、生前の手紙、弔電等の書状を、体裁良くまとめて保管できるからである。
【考案の効果】
【００１２】
本考案は、このように故人の写った写真を収納する収納部を備えたシートと、故人の仏事上の情報を記入するシートと、故人の回忌を記入するシートと、葬儀に関する諸事項を記入するシートと、故人の生前の情報を記入するシートとを備え、各シートが差し替え可能に綴じ付けられている。
【００１３】
従って、本考案の冊子は、例えば写真を収納する収納部を備えたシートを前面に差し替えて仏壇等に保管できる。
それ故、これによれば、葬儀にまつわる事項を記録する記録帳として利用できるだけではなく、故人を偲び、故人を忘れないようにすることにも役立つ、という実用上優れた効果を奏する。
【図面の簡単な説明】
【００１４】
【図１】本考案の葬儀用の冊子の好適な一実施形態を示す斜視図である。
【図２】同上冊子の要部シートの平面図である。
【図３】同上冊子の一部を切欠した要部斜視図である。
【図４】同上冊子の要部シートの平面図である。
【図５】同上冊子の要部シートの平面図である。
【図６】同上冊子の要部シートの平面図である。
【図７】同上冊子の要部シートの平面図である。
【図８】同上冊子の要部シートの平面図である。
【図９】同上冊子の要部シートの平面図である。
【図１０】同上冊子の要部シートの平面図である。
【図１１】同上冊子の要部シートの平面図である。
【図１２】同上冊子の要部シートの平面図である。
【図１３】同上冊子の要部シートの平面図である。
【図１４】同上冊子の要部シートの平面図である。
【図１５】同上冊子の要部シートの平面図である。
【図１６】同上冊子の要部シートの平面図である。
【図１７】同上冊子の要部シートの平面図である。
【図１８】同上冊子の要部シートの平面図である。
【図１９】同上冊子の要部シートの平面図である。
【図２０】同上冊子の要部シートの平面図である。
【図２１】同上冊子の一部を切欠した要部斜視図である。
【図２２】同上冊子の他の実施形態を示し、Ａは使用時の正面から見た斜視図、Ｂは使用時の背面から見た斜視図、Ｃは使用時の側面図である。
【考案を実施するための形態】
【００１５】
以下、本考案を実施するための好適な一実施形態を、添付図面に従って説明する。
本考案の冊子は、図１等に示されるように、故人の写った写真１を収納する収納部２を備えたシート３と、故人の仏事上の情報を記入するシート４と、仏事に関する諸事項が記載されているシート５と、故人の回忌を記入するシート６とを備えて形成されている。本考案の場合、各シートの枚数は、適宜選定される。
【００１６】
またこの実施形態の場合、表紙７と裏表紙８は、厚みのある高級紙が使用され、表紙７には「思い出」という言葉が印刷されている。そして、表紙７の次には、本考案品の配布の趣旨や使い方等の文章が印刷されたシート９が綴じられている。
【００１７】
またこの実施形態では、このシート９の次に、故人の写った写真１を収納する収納部２を備えたシート３が綴じられている。このシート３を含め、各シートは、綴じ付け用の孔１０ａ（図２参照）が平面視で右側の上下位置に、一対状にあけられ、着脱式の綴じ具１０（図１等参照）で差し替え可能に綴じ付けられている。
【００１８】
また写真１を収納する収納部２は、図３等に示されるように、この実施形態では厚紙等の面状材２ａで額縁状に形成されている。この収納部２は、例えば上側から写真１を挿し入れ可能に形成されていると共に、遺影の雰囲気を醸し出すことができるよう、面状材２ａの表面が黒色に塗られている。またこの実施形態では収納部２の下側に、俗名と、法名若しくは戒名を記入する欄が形成されている。
【００１９】
故人の仏事上の情報を記入するシート４は、図４に示されるように、仏事上の情報としての、例えば俗名、法名若しくは戒名、生年月日、没日（命日）、菩提寺、宗旨、通夜、葬儀の日時、施主の氏名等を記入する欄が記載されているものと、図５に示されるように、通夜・葬儀などの情報を記入するシートがある。シート４は、仏事上の情報だけを記入する場合には限られず、例えば「亡くなった人への思い」（図５参照）などの記載欄を有して形成されているのでも良い。
【００２０】
また仏事に関する諸事項が記載されているシート５としては、例えば法要の意味や初七日等の回忌の意味が印刷されたシート（図６、図７参照）、初盆の意味が印刷されたシート（図８参照）、初彼岸の意味が印刷されたシート（図９参照）などがある。
【００２１】
また故人の回忌を記入するシート６としては、図１０〜図２０に示されるように、七七日忌、初盆、初彼岸、一周忌、三回忌、七回忌、十三回忌、二十三回忌、二十七回忌、三十三回忌、五十回忌の年月日等を記入するものがある。
【００２２】
またこの実施形態の本考案品は、図２１に示されるように、弔辞や手紙、弔電等の書状を入れるためのポケット１１が扁平状に設けられているシート１２を備えて形成されている。この実施形態の場合、シート１２は裏表紙８を兼ねている。ポケット１１は、シート１２の内面に、書状を上から差し入れ可能になるよう、紙片の両側縁と底辺が貼り付けられることにより形成されている。
【００２３】
次に、本考案品の制作例や使用例を説明する。
【００２４】
この実施形態の本考案品は、図１に示されるように、表紙７と裏表紙８の間に、表紙７の次から、本考案品の配布の趣旨や使い方等の文章が印刷されたシート９、故人の写った写真１を収納する収納部２を備えたシート３、故人の仏事上の情報を記入するシート４、仏事に関する諸事項が記載されているシート５、故人の回忌を記入するシート６の順に、綴じ具１０で綴じ付けられている。
【００２５】
従って、使用者は、収納部２に思い出となる故人の写真１を入れ、故人の仏事上の情報を記入するシート４や、故人の回忌を記入するシート６に、法名や、回忌の年月日等を記入して仏壇等に本考案品を保管して使用する。
【００２６】
以上の処において、本考案の場合、写真１の収納部２や弔電等を入れるポケット１１の構造は、上例には限られない。また面状材２ａの表面色や面状材２ａの材質等は自由である。
【００２７】
また本考案は、図２２に示されるように、写真１の収納部２が設けられているシート１２を前面に出し、収納部２に写真１を入れ、写真立てのように形作ることができるよう形成されているのでも良い。
【００２８】
具体的には、同図Ｂ、Ｃに示されるように、例えば裏表紙８に本考案品を上向き傾斜状に支える支持片１３を、普段は裏表紙８の外面に折畳み、使用時は後方に回して本考案品を傾斜状に支持可能に形成することで実現される。
本考案が、このように形成される場合は、本考案品を写真立てとして利用できるから、使い勝手が良くなり、商品価値を向上できる。
【００２９】
なお、本考案品の場合、表紙７や裏表紙８は、布張り等で化粧仕上げされているのが好ましいが、これに限定されるものではない。また本考案品は、化粧箱等のケースに納められているのでも良い。
また本考案品は、上例の各シートに加え、その他、例えば故人の経歴や趣味等の生前の情報を記入するシートを備えて形成されているのでも良い。
【符号の説明】
【００３０】
１      写真
２      収納部
２ａ    面状材
３      写真を収納する収納部を備えたシート
４      故人の仏事上の情報を記入するシート
５      仏事に関する諸事項が記載されているシート
６      故人の回忌を記入するシート
１１    ポケット
１２    書状を入れるためのポケットが設けられているシート
【図１】
0003195144.tif 000003
【図２】
0003195144.tif 000004
【図３】
0003195144.tif 000005
【図４】
0003195144.tif 000006
【図５】
0003195144.tif 000007
【図６】
0003195144.tif 000008
【図７】
0003195144.tif 000009
【図８】
0003195144.tif 000010
【図９】
0003195144.tif 000011
【図１０】
0003195144.tif 000012
【図１１】
0003195144.tif 000013
【図１２】
0003195144.tif 000014
【図１３】
0003195144.tif 000015
【図１４】
0003195144.tif 000016
【図１５】
0003195144.tif 000017
【図１６】
0003195144.tif 000018
【図１７】
0003195144.tif 000019
【図１８】
0003195144.tif 000020
【図１９】
0003195144.tif 000021
【図２０】
0003195144.tif 000022
【図２１】
0003195144.tif 000023
【図２２】
0003195144.tif 000024